(57)【要約】【課題】特定ユーザが所持する端末のみにコンテンツを送信するために、電話番号を用いてサーバと端末との間でセキュアリンクを確立する方法等を提供する。【解決手段】サーバは、端末の電話番号毎に対応付けた証明書を管理している。最初に、サーバが、端末の電話番号に対応付けて、当該端末からアクセス可能なページアドレスを作成する。次に、サーバが、ページアドレスをリンクとして含むメッセージを、端末の電話番号に基づく呼接続によって、端末へ送信する。これに対し、端末が、サーバにおけるページアドレスの当該ページにアクセスする。これに対し、サーバが、メッセージを送信した端末の電話番号に対応する当該ページアドレスのページに、当該端末からアクセスされた際に、当該端末との間で、当該電話番号に対応する証明書を用いてセキュアレイヤを確立する。【選択図】図３
2015204090.tif 000002
【特許請求の範囲】
【請求項１】
サーバと端末との間でセキュアレイヤを確立する方法において、
前記サーバは、端末の電話番号毎に対応付けた証明書を管理しており、
前記サーバが、端末の電話番号に対応付けて、当該端末からアクセス可能なページアドレスを作成する第１のステップと、
前記サーバが、前記ページアドレスをリンクとして含むメッセージを、前記端末の前記電話番号に基づく呼接続によって、前記端末へ送信する第２のステップと、
前記端末が、前記サーバにおける前記ページアドレスの当該ページにアクセスする第３のステップと、
前記サーバが、前記メッセージを送信した端末の電話番号に対応する当該ページアドレスのページに、当該端末からアクセスされた際に、当該端末との間で、当該電話番号に対応する証明書を用いてセキュアレイヤを確立する第４のステップと
を有することを特徴とする方法。
【請求項２】
前記サーバからのプッシュ通知を受信した際に、電話回線を介した呼接続によって、当該メッセージを前記端末へ送信する、電話設備としてのプッシュ通知装置を更に有し、
第２のステップについて、
前記サーバは、前記端末へ送信すべきメッセージを前記プッシュ通知装置へ送信し、
前記プッシュ通知装置は、前記端末の前記電話番号に基づく呼接続によって、前記メッセージを前記端末へ送信し、
前記プッシュ通知装置は、前記端末に対する前記メッセージの送信完了を、前記サーバへ返信する
ことを特徴とする請求項１に記載の方法。
【請求項３】
第１のステップについて、前記サーバによって作成されるページアドレスは、ワンタイムＵＲＬ(Uniform Resource Locator)であり、
第４のステップについて、前記サーバは、前記ワンタイムＵＲＬが作成された後、所定時間内に、当該端末から当該ページにアクセスされることを要する
ことを特徴とする請求項１又は２に記載の方法。
【請求項４】
第４のステップについて、前記サーバは、当該証明書を取得可能なページのページアドレスを、インターネットを介したメッセージによって、又は、電話回線を介した呼接続によって、前記端末へ送信する
ことを特徴とする請求項１から３のいずれか１項に記載の方法。
【請求項５】
コンテンツ送信端末と、サーバと、コンテンツ受信端末とを有するシステムについて、コンテンツを転送する方法であって、
前記コンテンツ送信端末が、コンテンツ受信端末の電話番号と、転送すべきコンテンツとを、前記サーバへ送信し、
前記サーバが、前記コンテンツ受信端末との間で、請求項１から４のいずれか１項に記載の方法によってセキュアレイヤを確立し、
前記サーバが、前記セキュアレイヤを介して、前記コンテンツ受信端末へ前記コンテンツを送信する
ことを特徴とする方法。
【請求項６】
複数の紹介元端末と、サーバと、紹介先端末とを有するシステムについて、ページアドレスを紹介する方法であって、
複数の紹介元端末が、紹介先端末の電話番号と、１つ以上の紹介ページアドレスとを、前記サーバへ送信し、
前記サーバが、当該紹介先端末に対して、前記紹介元端末毎に、前記紹介ページアドレスをリンクとして含む下位紹介ページを作成し、
前記サーバが、当該紹介先端末に対して、複数の紹介元端末に基づく複数の下位紹介ページのページアドレスをリンクとして含む上位紹介ページを作成し、
前記サーバが、前記コンテンツ受信端末との間で、請求項１から４のいずれか１項に記載の方法によってセキュアレイヤを確立し、
前記サーバが、前記セキュアレイヤを介して、前記コンテンツ受信端末へ前記上位紹介ページを送信し、
前記端末が、前記上位紹介ページに含まれるいずれか１つの下位紹介ページのページアドレスにアクセスし、
前記サーバが、前記セキュアレイヤを介して、前記コンテンツ受信端末へ当該下位紹介ページを送信し、
前記端末が、前記下位紹介ページに含まれるいずれか１つの紹介ページのページアドレスにアクセスする
ことを特徴とする方法。
【請求項７】
端末との間でセキュアレイヤを確立するサーバにおいて、
端末の電話番号毎に対応付けた証明書を管理する証明書管理手段と、
端末の電話番号に対応付けて、当該端末からアクセス可能なページアドレスを作成するページアドレス作成手段と、
前記ページアドレスをリンクとして含むメッセージを、前記端末の前記電話番号に基づく呼接続によって、前記端末へ通知するプッシュ通知手段と、
前記端末から、前記ページアドレスの当該ページに対するアクセスを受信するページアクセス受信手段と、
前記メッセージを送信した端末の電話番号に対応する当該ページアドレスのページに、当該端末からアクセスされた際に、当該端末との間で、当該電話番号に対応する証明書を用いてセキュアレイヤを確立するセキュアレイヤ確立手段と
を有することを特徴とするサーバ。
【請求項８】
コンテンツ送信端末から、コンテンツ受信端末の電話番号と、転送すべきコンテンツとを受信するコンテンツ受信手段と、
前記セキュアレイヤを介して、前記コンテンツ受信端末へ前記コンテンツを送信するコンテンツ送信手段と
を更に有することを特徴とする請求項７に記載のサーバ。
【請求項９】
複数の紹介元端末から、紹介先端末の電話番号と、１つ以上の紹介ページアドレスとを受信する紹介ページアドレス受信手段と、
当該紹介先端末に対して、前記紹介元端末毎に、前記紹介ページアドレスをリンクとして含む下位紹介ページを作成する下位紹介ページ作成手段と、
当該紹介先端末に対して、複数の紹介元端末に基づく複数の下位紹介ページのページアドレスをリンクとして含む上位紹介ページを作成する上位紹介ページ作成手段と、
前記セキュアレイヤを介して、前記コンテンツ受信端末へ前記上位紹介ページを送信する上位紹介ページ送信手段と、
前記端末から、前記上位紹介ページのいずれか１つの下位紹介ページのページアドレスに対するアクセスを受信する下位紹介ページアクセス受信手段と、
前記セキュアレイヤを介して、前記コンテンツ受信端末へ当該下位紹介ページを送信する下位紹介ページ送信手段と
を更に有することを特徴とする請求項７に記載のサーバ。
【請求項１０】
端末との間でセキュアレイヤを確立するサーバに搭載されたコンピュータを機能させるプログラムにおいて、
端末の電話番号毎に対応付けた証明書を管理する証明書管理手段と、
端末の電話番号に対応付けて、当該端末からアクセス可能なページアドレスを作成するページアドレス作成手段と、
前記ページアドレスをリンクとして含むメッセージを、前記端末の前記電話番号に基づく呼接続によって、前記端末へ通知するプッシュ通知手段と、
前記端末から、前記ページアドレスの当該ページに対するアクセスを受信するページアクセス受信手段と、
前記メッセージを送信した端末の電話番号に対応する当該ページアドレスのページに、当該端末からアクセスされた際に、当該端末との間で、当該電話番号に対応する証明書を用いてセキュアレイヤを確立するセキュアレイヤ確立手段と
してコンピュータを機能させることを特徴とするサーバ用のプログラム。
【請求項１１】
コンテンツ送信端末から、コンテンツ受信端末の電話番号と、転送すべきコンテンツとを受信するコンテンツ受信手段と、
前記セキュアレイヤを介して、前記コンテンツ受信端末へ前記コンテンツを送信するコンテンツ送信手段と
してコンピュータを更に機能させることを特徴とする請求項１０に記載のサーバ用のプログラム。
【請求項１２】
複数の紹介元端末から、紹介先端末の電話番号と、１つ以上の紹介ページアドレスとを受信する紹介ページアドレス受信手段と、
当該紹介先端末に対して、前記紹介元端末毎に、前記紹介ページアドレスをリンクとして含む下位紹介ページを作成する下位紹介ページ作成手段と、
当該紹介先端末に対して、複数の紹介元端末に基づく複数の下位紹介ページのページアドレスをリンクとして含む上位紹介ページを作成する上位紹介ページ作成手段と、
前記セキュアレイヤを介して、前記コンテンツ受信端末へ前記上位紹介ページを送信する上位紹介ページ送信手段と、
前記端末から、前記上位紹介ページのいずれか１つの下位紹介ページのページアドレスに対するアクセスを受信する下位紹介ページアクセス受信手段と、
前記セキュアレイヤを介して、前記コンテンツ受信端末へ当該下位紹介ページを送信する下位紹介ページ送信手段と
してコンピュータを更に機能させることを特徴とする請求項１０に記載のサーバ用のプログラム。
【発明の詳細な説明】
【技術分野】
【０００１】
本発明は、サーバと端末との間でセキュアリンクを確立する技術に関する。特に、紹介元ユーザが、特定の紹介先ユーザのみに、コンテンツをセキュアに送信するサービスに適用する。そのコンテンツとしては、例えばＵＲＬ(Uniform Resource locator)のリンク集のようなものである。
【背景技術】
【０００２】
従来、サーバと端末との間でセキュアリンクを確立する技術として、代表的にＳＳＬ(Secure Socket Layer)がある。ＳＳＬは、コネクション型トランスポートレイヤプロトコルの上位に位置し、ＴＣＰ(Transmission Control Protocol)にラップされる。アプリケーションレイヤプロトコルには依存しないが、基本的にＨＴＴＰ(HyperText Transport Protocol)で利用される。
【０００３】
一方で、端末が、携帯電話網に接続するスマートフォンや携帯電話機である場合、呼接続用の電話番号は、その端末を所持するユーザを特定することとなる。特に、通信事業者やサービス提供事業者は、その電話番号のスマートフォンへ発呼することによって、その契約ユーザを特定することができる。
【０００４】
また、ユーザ同士の間でコンテンツを紹介する場合、紹介元ユーザが、そのコンテンツのＵＲＬを含む電子メールを、紹介先ユーザへ送信することも多い。また、紹介元ユーザは、多数のＵＲＬを通知したい場合、それらＵＲＬをまとめたリンク集（ブックマーク）を、紹介先ユーザへ送信することもできる。紹介先ユーザは、そのリンク集を登録することによって、紹介されたコンテンツにいつでもアクセスすることができる。
【０００５】
従来、コンテンツを検索しているユーザが参照しているＷｅｂページに基づいて、それらＷｅｂページに関連するリンク集を自動的に提示する技術がある（例えば特許文献１参照）。この技術によれば、参照中のＷｅｂページの周辺（トピックトップＵＲＬ）にリンクしているリンク集を、そのユーザに推薦することができる。
【０００６】
また、ディレクトリ型のリンク集ページを自動作成する技術もある（例えば特許文献２参照）。この技術によれば、電子メール、ニュースグループ、掲示板などからＵＲＬを含む文書ファイルを取得した際に、そのＵＲＬの前後にある文書を規定文数だけ当該ＵＲＬの紹介文候補として抽出する。そして、そのＵＲＬで指定されるサイトに掲載されている本文を取得する。紹介文候補と本文とを比較して、本文と最も類似する紹介文候補を、紹介文として特定する。その紹介文をカテゴリごとに分類し、ＵＲＬと共に、ディレクトリ型リンク集ページとしてＨＴＭＬ形式のファイルによって出力する。 
【０００７】
更に、リンク集のメンテナンスに要するサイト管理者の負担を軽減する技術もある（例えば特許文献３参照）。この技術によれば、サーバは、端末からリンク情報登録要求を受信した際に、予め登録された査閲項目に基づいて自動登録の可否を判定する。自動登録不可と判定された場合、サイト運営者端末へ査閲を依頼し、サイト管理者からの査閲結果を受信する。登録可と判定されたリンク情報登録要求のリンク情報を、リンク集に追加登録する。
【先行技術文献】
【特許文献】
【０００８】
【特許文献１】特開２００１−０９２８２９号公報
【特許文献２】特開２００３−０１６０８２号公報
【特許文献３】特開２００３−２５６３１７号公報
【非特許文献】
【０００９】
【非特許文献１】「ａｕスマートパス」、[online]、［平成２６年４月８日検索］、インターネット＜URL:http://pass.auone.jp/＞
【発明の概要】
【発明が解決しようとする課題】
【００１０】
前述した特許文献１〜３に記載のいずれの技術も、紹介元ユーザが、紹介先ユーザのみを特定してセキュアに、リンク集としてのコンテンツを送信するものではない。
【００１１】
ここで、紹介元ユーザが、通信事業者のオペレータであって、紹介先ユーザが、その契約ユーザであった場合を想定する。オペレータとしては、その契約ユーザへ送信したいコンテンツサイトとは、例えば操作説明サイトや契約情報サイトのようなものである。通信事業者によって提供されるアプリケーション配信サーバも、サービス会員の契約に応じてアクセスの必要性が異なる（例えば非特許文献１参照）。このようなコンテンツサイトは、本来、不特定多数に公開すべきものではない。あくまで、そのコンテンツサイトにログインする契約ユーザのみに公開すべきものである。
【００１２】
ここで発明者らは、紹介元ユーザが、リンク集を、紹介先ユーザへセキュアに送信することはできないか？と考えた。また、リンク集をコンテンツとすれば、サーバが端末へセキュアに送信することができないか？と考えた。更に、リンク集を受信する紹介先ユーザ毎に、多数の紹介元ユーザによって紹介されるリンクをまとめることによって、紹介先ユーザが所望のコンテンツにアクセスしやすくなるのではないか？と考えた。
【００１３】
そこで、本発明は、特定ユーザが所持する端末のみにコンテンツを送信するために、サーバと端末との間でセキュアリンクを確立する方法、装置及びプログラムを提供することを目的とする。
【課題を解決するための手段】
【００１４】
本発明によれば、サーバと端末との間でセキュアレイヤを確立する方法において、
サーバは、端末の電話番号毎に対応付けた証明書を管理しており、
サーバが、端末の電話番号に対応付けて、当該端末からアクセス可能なページアドレスを作成する第１のステップと、
サーバが、ページアドレスをリンクとして含むメッセージを、端末の電話番号に基づく呼接続によって、端末へ送信する第２のステップと、
端末が、サーバにおけるページアドレスの当該ページにアクセスする第３のステップと、
サーバが、メッセージを送信した端末の電話番号に対応する当該ページアドレスのページに、当該端末からアクセスされた際に、当該端末との間で、当該電話番号に対応する証明書を用いてセキュアレイヤを確立する第４のステップと
を有することを特徴とする。
【００１５】
本発明の方法における他の実施形態によれば、
サーバからのプッシュ通知を受信した際に、電話回線を介した呼接続によって、当該メッセージを端末へ送信する、電話設備としてのプッシュ通知装置を更に有し、
第２のステップについて、
サーバは、端末へ送信すべきメッセージをプッシュ通知装置へ送信し、
プッシュ通知装置は、端末の電話番号に基づく呼接続によって、メッセージを端末へ送信し、
プッシュ通知装置は、端末に対するメッセージの送信完了を、サーバへ返信することも好ましい。
【００１６】
本発明の方法における他の実施形態によれば、
第１のステップについて、サーバによって作成されるページアドレスは、ワンタイムＵＲＬ(Uniform Resource Locator)であり、
第４のステップについて、サーバは、ワンタイムＵＲＬが作成された後、所定時間内に、当該端末から当該ページにアクセスされることを要することも好ましい。
【００１７】
本発明の方法における他の実施形態によれば、
第４のステップについて、サーバは、当該証明書を取得可能なページのページアドレスを、インターネットを介したメッセージによって、又は、電話回線を介した呼接続によって、端末へ送信することも好ましい。
【００１８】
本発明によれば、コンテンツ送信端末と、サーバと、コンテンツ受信端末とを有するシステムについて、コンテンツを転送する方法であって、
コンテンツ送信端末が、コンテンツ受信端末の電話番号と、転送すべきコンテンツとを、サーバへ送信し、
サーバが、コンテンツ受信端末との間で、請求項１から４のいずれか１項に記載の方法によってセキュアレイヤを確立し、
サーバが、セキュアレイヤを介して、コンテンツ受信端末へコンテンツを送信することも好ましい。
【００１９】
本発明によれば、複数の紹介元端末と、サーバと、紹介先端末とを有するシステムについて、ページアドレスを紹介する方法であって、
複数の紹介元端末が、紹介先端末の電話番号と、１つ以上の紹介ページアドレスとを、サーバへ送信し、
サーバが、当該紹介先端末に対して、紹介元端末毎に、紹介ページアドレスをリンクとして含む下位紹介ページを作成し、
サーバが、当該紹介先端末に対して、複数の紹介元端末に基づく複数の下位紹介ページのページアドレスをリンクとして含む上位紹介ページを作成し、
サーバが、コンテンツ受信端末との間で、前述した方法によってセキュアレイヤを確立し、
サーバが、セキュアレイヤを介して、コンテンツ受信端末へ上位紹介ページを送信し、
端末が、上位紹介ページに含まれるいずれか１つの下位紹介ページのページアドレスにアクセスし、
サーバが、セキュアレイヤを介して、コンテンツ受信端末へ当該下位紹介ページを送信し、
端末が、下位紹介ページに含まれるいずれか１つの紹介ページのページアドレスにアクセスすることも好ましい。
【００２０】
本発明によれば、端末との間でセキュアレイヤを確立するサーバにおいて、
端末の電話番号毎に対応付けた証明書を管理する証明書管理手段と、
端末の電話番号に対応付けて、当該端末からアクセス可能なページアドレスを作成するページアドレス作成手段と、
ページアドレスをリンクとして含むメッセージを、端末の電話番号に基づく呼接続によって、端末へ通知するプッシュ通知手段と、
端末から、ページアドレスの当該ページに対するアクセスを受信するページアクセス受信手段と、
メッセージを送信した端末の電話番号に対応する当該ページアドレスのページに、当該端末からアクセスされた際に、当該端末との間で、当該電話番号に対応する証明書を用いてセキュアレイヤを確立するセキュアレイヤ確立手段と
を有することを特徴とする。
【００２１】
本発明のサーバにおける他の実施形態によれば、
コンテンツ送信端末から、コンテンツ受信端末の電話番号と、転送すべきコンテンツとを受信するコンテンツ受信手段と、
セキュアレイヤを介して、コンテンツ受信端末へコンテンツを送信するコンテンツ送信手段と
を更に有することも好ましい。
【００２２】
本発明のサーバにおける他の実施形態によれば、
複数の紹介元端末から、紹介先端末の電話番号と、１つ以上の紹介ページアドレスとを受信する紹介ページアドレス受信手段と、
当該紹介先端末に対して、紹介元端末毎に、紹介ページアドレスをリンクとして含む下位紹介ページを作成する下位紹介ページ作成手段と、
当該紹介先端末に対して、複数の紹介元端末に基づく複数の下位紹介ページのページアドレスをリンクとして含む上位紹介ページを作成する上位紹介ページ作成手段と、
セキュアレイヤを介して、コンテンツ受信端末へ上位紹介ページを送信する上位紹介ページ送信手段と、
端末から、上位紹介ページのいずれか１つの下位紹介ページのページアドレスに対するアクセスを受信する下位紹介ページアクセス受信手段と、
セキュアレイヤを介して、コンテンツ受信端末へ当該下位紹介ページを送信する下位紹介ページ送信手段と
を更に有することも好ましい。
【００２３】
本発明によれば、端末との間でセキュアレイヤを確立するサーバに搭載されたコンピュータを機能させるプログラムにおいて、
端末の電話番号毎に対応付けた証明書を管理する証明書管理手段と、
端末の電話番号に対応付けて、当該端末からアクセス可能なページアドレスを作成するページアドレス作成手段と、
ページアドレスをリンクとして含むメッセージを、端末の電話番号に基づく呼接続によって、端末へ通知するプッシュ通知手段と、
端末から、ページアドレスの当該ページに対するアクセスを受信するページアクセス受信手段と、
メッセージを送信した端末の電話番号に対応する当該ページアドレスのページに、当該端末からアクセスされた際に、当該端末との間で、当該電話番号に対応する証明書を用いてセキュアレイヤを確立するセキュアレイヤ確立手段と
してコンピュータを機能させることを特徴とする。
【００２４】
本発明のプログラムにおける他の実施形態によれば、
コンテンツ送信端末から、コンテンツ受信端末の電話番号と、転送すべきコンテンツとを受信するコンテンツ受信手段と、
セキュアレイヤを介して、コンテンツ受信端末へコンテンツを送信するコンテンツ送信手段と
してコンピュータを更に機能させることも好ましい。
【００２５】
本発明のプログラムにおける他の実施形態によれば、
複数の紹介元端末から、紹介先端末の電話番号と、１つ以上の紹介ページアドレスとを受信する紹介ページアドレス受信手段と、
当該紹介先端末に対して、紹介元端末毎に、紹介ページアドレスをリンクとして含む下位紹介ページを作成する下位紹介ページ作成手段と、
当該紹介先端末に対して、複数の紹介元端末に基づく複数の下位紹介ページのページアドレスをリンクとして含む上位紹介ページを作成する上位紹介ページ作成手段と、
セキュアレイヤを介して、コンテンツ受信端末へ上位紹介ページを送信する上位紹介ページ送信手段と、
端末から、上位紹介ページのいずれか１つの下位紹介ページのページアドレスに対するアクセスを受信する下位紹介ページアクセス受信手段と、
セキュアレイヤを介して、コンテンツ受信端末へ当該下位紹介ページを送信する下位紹介ページ送信手段と
してコンピュータを更に機能させることを特徴とする。
【発明の効果】
【００２６】
本発明の方法、装置及びプログラムによれば、特定ユーザが所持する端末のみにコンテンツを送信するために、サーバと端末との間でセキュアリンクを確立することができる。
【図面の簡単な説明】
【００２７】
【図１】本発明におけるシステム構成図である。
【図２】本発明におけるサーバの機能構成図である。
【図３】本発明におけるシーケンス図である。
【図４】図３のＳ４１について、ショートメッセージを用いたシーケンス図である。
【図５】ＳＳＬを介してリンク集を紹介するサーバの機能構成図である。
【図６】上位紹介ページ及び下位紹介ページを表す説明図である。
【図７】紹介先ユーザの端末のディスプレイに表示される画面である。
【発明を実施するための形態】
【００２８】
以下、本発明の実施の形態について、図面を用いて詳細に説明する。
【００２９】
図１は、本発明におけるシステム構成図である。
【００３０】
図１によれば、サーバ１は、インターネットを介して端末２との間で、例えばＳＳＬのセキュアレイヤを確立し、コンテンツを送信することができる。端末２は、予めインストールされたブラウザを用いて、サーバ１との間でＨＴＴＰによって通信する。また、端末２は、サーバ１から、複数のＵＲＬ（リンクアドレス）が並ぶ「リンク集」としてのコンテンツを受信した場合、そのブラウザを用いて、各ＵＲＬのページへアクセスすることができる。
【００３１】
端末２は、少なくとも、携帯電話網（３ＧやＬＴＥ）のように呼接続機能を有するスマートフォンや携帯電話機である。そのために、端末２には全て、固有の電話番号が付与されている。一方で、端末２は、インターネットにアクセスするために、無線ＬＡＮやＷｉＭＡＸ、ＬＴＥのようなデータ通信機能も有する。
【００３２】
サーバ１は、端末２の「電話番号」毎に対応付けて、ＳＳＬの「証明書」を管理する。証明書は、常時管理することなく、必要となった際に適宜作成されるものであってもよい。
【００３３】
更に、図１によれば、携帯電話網のようなアクセスネットワークに、プッシュ通知装置４が接続されている。プッシュ通知装置４は、サーバ１からのメッセージ通知要求に応じて、そのメッセージを端末２へプッシュ的に送信する。プッシュ通知装置４は、例えばＳＭＳ(Short Message Service)のような、携帯電話システムの呼接続におけるショートメールを、端末２へ送信する。
【００３４】
更に、図１によれば、紹介元ユーザの端末４が、コンテンツをサーバ１へ送信し、サーバ１が、そのコンテンツを、ＳＳＬを介して紹介先ユーザの端末２へ転送することができる。例えば、紹介元ユーザが、紹介先ユーザのみに通知したいリンク集（例えばユーザ契約情報に基づくページサイトのＵＲＬ）を、サーバ１へ送信する。サーバ１は、そのリンク集を、ＳＳＬを介して紹介先ユーザの端末２へ転送する。紹介先ユーザは、そのリンク集を参照し、所望のＵＲＬのページへインターネットを介してアクセスすることができる。
【００３５】
図２は、本発明におけるサーバの機能構成図である。
【００３６】
図２のサーバ１によれば、証明書管理部１００と、ページアドレス作成部１０１と、プッシュ通知部１０２と、ページアクセス受信部１０３と、セキュアレイヤ確立部１０４と、コンテンツ受信部１１１と、コンテンツ送信部１１２とを有する。これら機能構成部は、サーバに搭載されたコンピュータを機能させるプログラムを実行することによって実現される。また、これら機能構成部の処理の流れは、セキュアリンク確立方法としても理解できる。
【００３７】
図３は、本発明におけるシーケンス図である。以下では、図３のシーケンス図を参照しつつ、図２の各機能構成部について説明する。
【００３８】
［証明書管理部１００］
（Ｓ１）サーバ１の証明書管理部１００は、端末の電話番号毎に対応付けた証明書を管理する。証明書管理部１００は、セキュアレイヤ確立部１０４によって参照される。「証明書」は、ＳＳＬにおける公開鍵証明書であって、端末から見たサーバの認証に用いられる。
【００３９】
［ページアドレス作成部１０１］
（Ｓ２１）サーバ１のページアドレス作成部１０１は、端末２の電話番号に対応付けて、当該端末２からアクセス可能なページアドレスを作成する。ここで作成されるページアドレスは、一時的に利用可能なワンタイムＵＲＬである。このページアドレスに対応するページは、端末２からの一時的なアクセスを受け付けるものであって、証明書ダウンロードサイトへ誘導するものである。具体的には、例えば以下のようなページアドレスを作成する。
電話番号        ：08011111111
ワンタイムＵＲＬ：http://www.08011111111.html
その電話番号に基づく端末２からのみ、アクセスされるページを生成する。これは、簡単なテンプレートから実体をコピーして生成したページであってもよい。
【００４０】
［プッシュ通知部１０２］
（Ｓ２２）サーバ１のプッシュ通知部１０２は、ページアドレスをリンクとして含むメッセージを、端末２の電話番号に基づく呼接続によって、端末２へ通知する。具体的には、電話番号08011111111へ、ワンタイムＵＲＬ含むショートメッセージを送信すべきことを指示した「メッセージ通知要求」を、プッシュ通知装置３へ送信する。
（Ｓ２３）メッセージ通知要求を受信したプッシュ通知装置３は、電話番号08011111111へ発呼する。端末２は着呼し、プッシュ通知装置３と端末２との間で呼接続が完了する。そして、プッシュ通知装置３は、サーバ１から受信したショートメッセージを、端末２へ送信し、呼を切断する。
（Ｓ２４）その後、プッシュ通知装置３は、ショートメッセージの送信完了を、サーバ１へ返信する。
【００４１】
［ページアクセス受信部１０３］
（Ｓ３１）端末２は、ショートメッセージに含まれるＵＲＬを、ユーザに明示する。
http://www.08011111111.html
ここで、ユーザがそのＵＲＬを選択（クリック）した場合、端末２は、サーバ１へ、HTTP GET Request（ページ取得要求）を送信する。サーバ１のページアクセス受信部１０３は、端末２から、当該ページに対するアクセスを受信する。
【００４２】
ここで、サーバ１のページアクセス受信部１０３は、ワンタイムＵＲＬが作成された後、所定時間内（例えば３分以内）に、当該端末２から当該ページにアクセスされることを条件とする。そのために、その所定時間を経過した場合、ページアクセス受信部１０３は、端末２からのアクセスを拒否する。
【００４３】
［セキュアレイヤ確立部１０４］
（Ｓ３２）サーバ１のセキュアレイヤ確立部１０４は、端末２の電話番号に対応する当該ページアドレスのページに、当該端末２からアクセスされた際に、当該端末２との間で、ＳＳＬの前段のシーケンスを実行する。図３によれば、サーバ１と端末２との間で、Helloが交換された後、端末２は、証明書を保持していない旨(no_certificate)を、サーバ１へ送信する。
【００４４】
（Ｓ４１）これに対し、サーバ１のセキュアレイヤ確立部１０４は、証明書ダウンロードサイトへ誘導するべく、そのＵＲＬを含む302 Movedを、端末２へ送信する。このＵＲＬは、当該証明書を取得可能なページのアドレスである。
http://www.08011111111.cert
（Ｓ４２）端末２は、ユーザ操作に応じて、証明書ダウンロードサイトのＵＲＬへ、HTTP GET Requestを送信する。
（Ｓ４３）これに対し、サーバ１は、端末２の電話番号に基づく証明書を、200OKを用いて、端末２へ送信する。
（Ｓ４４）端末２は、サーバ１から受信した証明書をインストールする。
（Ｓ４５）そして、端末２は、その証明書によって指定されたＵＲＬへ、HTTP GET Request    を送信する。
https://www.cs1.com/a.html
（Ｓ４６）これに対し、サーバ１は、端末２との間で、ＳＳＬの後段のシーケンスを実行し、ＳＳＬを確立する。データパケットは、ＳＳＬを介して共通鍵によって暗号化され、ハッシュ関数によって改ざんが検知される。
（Ｓ４７）そして、サーバ１は、端末２へ、そのコンテンツを200OKによって送信する。これによって、端末２は、ＳＳＬを介して、サーバ１からコンテンツを受信することができる。
【００４５】
［コンテンツ受信部１１１］
コンテンツ受信部１１１は、コンテンツ送信端末４から、コンテンツ受信端末の電話番号と、転送すべきコンテンツとを受信する。そのコンテンツは、セキュアレイヤが確立されるまで、一時的にバッファされる。
【００４６】
［コンテンツ送信部１１２］
コンテンツ送信部１１２は、確立したセキュアレイヤを介して、コンテンツ受信部１１１によって受信されたコンテンツを、コンテンツ受信端末へ送信する。
【００４７】
図４は、図３のＳ４１について、ショートメッセージを用いたシーケンス図である。
【００４８】
サーバ１は、証明書ダウンロードサイトのＵＲＬを含む302 Movedのメッセージを、端末２の電話番号に基づく呼接続によって、端末２へ通知する。具体的には、電話番号08011111111へ、「メッセージ通知要求」を、プッシュ通知装置３へ送信する。
電話番号：08011111111
ＵＲＬ  ：http://www.08011111111.cert
メッセージ通知要求を受信したプッシュ通知装置３は、電話番号08011111111へ発呼する。端末２は着呼し、プッシュ通知装置３と端末２との間で呼接続が完了する。そして、プッシュ通知装置３は、サーバ１から受信したショートメッセージを、端末２へ送信し、呼を切断する。
その後、プッシュ通知装置３は、ショートメッセージの送信完了を、サーバ１へ返信する。
【００４９】
図５は、ＳＳＬを介してリンク集を紹介するサーバの機能構成図である。
【００５０】
例えば紹介元ユーザが、所望のページサイトに、紹介先ユーザを誘導したい場合を想定する。また、１人の紹介先ユーザに対して、複数の紹介元ユーザが存在する場合もある。このような場合、１人の紹介先ユーザに対する紹介ページのリンクを、サーバ１ができる限りまとめることが好ましい。図５によれば、サーバ１は、図２と比較して、ページ蓄積部１２０と、紹介ページアドレス受信部１２１と、下位紹介ページ作成部１２２と、上位紹介ページ作成部１２３と、上位紹介ページ送信部１２４と、下位紹介ページアクセス受信部１２５と、下位紹介ページ送信部１２６とを更に有する。
【００５１】
図６は、上位紹介ページ及び下位紹介ページを表す説明図である。
図７は、紹介先ユーザの端末のディスプレイに表示される画面である。
以下では、図６及び図７を参照しつつ、図５の各機能構成部について説明する。
【００５２】
［紹介ページアドレス受信部１２１］
紹介ページアドレス受信部１２１は、複数の紹介元端末４から、紹介先端末２の電話番号と、１つ以上の紹介ページアドレスとを受信する。受信した紹介ページアドレスは、下位紹介ページ作成部１２２へ出力される。このアドレスは、紹介元ユーザが、紹介先ユーザへ紹介したいページのリンクである。具体的には、紹介元ユーザは、自らの端末４のブラウザを用いて、以下のような情報をサーバ１へ登録するものであってもよい。
紹介元ユーザの識別子            ：A
紹介先ユーザの識別子及び電話番号：D, 08011111111
リンクのＵＲＬ                  ：http://www.A.com/A1.html
その他の情報（コンテンツ名前、紹介文、アクセス期限、配置ルール）
尚、配置ルールとは、リンク集を作成する場合の配置、例えば登録時刻順や、アクセス回数順のようなものである。
ここで、紹介元ユーザが通信事業者であり、紹介先ユーザがその契約顧客である場合、紹介したいコンテンツ（サイトページ）とは、例えばスマートフォンマニュアルのようなものである。
【００５３】
［下位紹介ページ作成部１２２］
下位紹介ページ作成部１２２は、当該紹介先端末２に対して、紹介元端末４毎に、紹介ページアドレスをリンクとして含む下位紹介ページを作成する。生成された下位紹介ページは、ページ蓄積部１２０へ蓄積され、上位紹介ページ作成部１２３へ出力される。図６によれば、紹介元ユーザAが、紹介先ユーザDへ紹介すべき複数のアドレスを、１枚の下位紹介ページにまとめている。
アドレス［http://www.08011111111.html?id=A］
<body>
<a href= http://www.A.com/A1.html?id=kddi-labs>A1</a>
<a href= http://www.A.com/A2.html?id=kddi-labs>A2</a>
<a href= http://www.A.com/A3.html?id=kddi-labs>A3</a>
</body>
この下位紹介ページのアドレスは、紹介先ユーザDの電話番号と、紹介元ユーザの識別子Aとに基づいて作成されている。
【００５４】
［上位紹介ページ作成部１２３］
上位紹介ページ作成部１２３は、ページ蓄積部１２０を参照し、当該紹介先端末に対して複数の紹介元端末に基づく複数の下位紹介ページのページアドレスをリンクとして含む上位紹介ページを作成する。図６によれば、複数の紹介元ユーザA,B,Cの下位紹介ページを、１枚の上位紹介ページにまとめたものである。
アドレス［http://www.08011111111.html］
<body>
<a href= http://www.08011111111.html?id=A>A</a>
<a href= http://www.08011111111.html?id=B>B</a>
<a href= http://www.08011111111.html?id=C>C</a>
</body>
この上位紹介ページのアドレスは、紹介先ユーザDの電話番号に基づいて作成されている。
【００５５】
［上位紹介ページ送信部１２４］
上位紹介ページ送信部１２４は、セキュアレイヤを介して、紹介先端末２へ上位紹介ページを送信する。上位紹介ページを受信した紹介先端末２は、図７（ａ）のような画面をディスプレイに表示する。ここでは、紹介元ユーザ毎にアイコンが表示されており、紹介先ユーザは、いずれか１つのそのアイコンをクリックすることができる。図７（ａ）によれば、［http://www.08011111111.html?id=A］が、選択されている。
【００５６】
［下位紹介ページアクセス受信部１２５］
下位紹介ページアクセス受信部１２５は、紹介先端末２から、上位紹介ページのいずれか１つの下位紹介ページのページアドレスに対するアクセスを受信する。そのページアドレスは、下位紹介ページ送信部１２６へ出力される。
【００５７】
［下位紹介ページ送信部１２６］
下位紹介ページ送信部１２６は、ページ蓄積部１２０を参照し、セキュアレイヤを介してコンテンツ受信端末へ当該下位紹介ページを送信する。下位紹介ページを受信した紹介先端末２は、図７（ｂ）のような画面をディスプレイに表示する。
紹介先端末２は、下位紹介ページのいずれか１つの下位紹介ページのページアドレスへアクセスする。図７（ｂ）によれば、［http://www.A.com/A3.html］が、選択されている。
【００５８】
このように、紹介元ユーザが紹介したいコンテンツのリンク集を自動的に生成することによって、紹介先ユーザは、コンテンツに対するアクセスがしやすくなる。また、複数の紹介元ユーザによるページアドレスからリンク集が自動的に生成されることによって、紹介元の管理者の作業負担も軽減される。
【００５９】
以上、詳細に説明したように、本発明の方法、装置及びプログラムによれば、特定ユーザが所持する端末のみにコンテンツを送信するために、電話番号を用いてサーバと端末との間でセキュアリンクを確立することができる。
【００６０】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６１】
１  ページサイトサーバ
１００  証明書管理部
１０１  ページアドレス作成部
１０２  プッシュ通知部
１０３  ページアクセス受信部
１０４  セキュアレイヤ確立部
１１１  コンテンツ受信部
１１２  コンテンツ送信部
１２０  ページ蓄積部
１２１  紹介ページアドレス受信部
１２２  下位紹介ページ作成部
１２３  上位紹介ページ作成部
１２４  上位紹介ページ送信部
１２５  下位紹介ページアクセス受信部
１２６  下位紹介ページ送信部
２  端末
３  プッシュ通知装置
４  端末
【図１】
2015204090.tif 000003
【図２】
2015204090.tif 000004
【図３】
2015204090.tif 000005
【図４】
2015204090.tif 000006
【図５】
2015204090.tif 000007
【図６】
2015204090.tif 000008
【図７】
2015204090.tif 000009